(57)【要約】【課題】コンパクトで手軽に使用することができる安価なリハビリ器具を提供すること。【解決手段】所要長さの雄ねじ部材１にナット部材２を螺合し、ナット部材２を回転させることにより雄ねじ部材１上を移動させるようにする。【選択図】図１
0003131859.tif 000002
【実用新案登録請求の範囲】
【請求項１】
所要長さの雄ねじ部材にナット部材を螺合し、ナット部材を回転させることにより雄ねじ部材上を移動させるようにしたことを特徴とするリハビリ器具。
【請求項２】
雄ねじ部材のねじ径を長さ方向で変えたことを特徴とする請求項１記載のリハビリ器具。
【請求項３】
ナット部材が六角等の角状のものからなり、その側面毎に彩色したことを特徴とする請求項１又は２記載のリハビリ器具。
【請求項４】
形状が異なるナット部材を設けたことを特徴とする請求項１、２又は３記載のリハビリ器具。
【考案の詳細な説明】
【技術分野】
【０００１】
本考案は、手指のリハビリ器具に関し、特に、コンパクトで手軽に使用することができる安価なリハビリ器具に関するものである。
【背景技術】
【０００２】
例えば、脳梗塞などにより脳機能が損なわれると、手や指が麻痺したりして自由に動かせなくなる。このような状態になると日常生活に支障を来し、ヘルパー等の介護を受けなければならなくなる。
【０００３】
そこで、手や指の機能を回復するためにリハビリを行う必要があるが、従来では大がかりで高価なリハビリ器具が多く、患者自らがリハビリを行おうとする場合に手軽に使用できるようなリハビリ器具が見あたらない。
【考案の開示】
【考案が解決しようとする課題】
【０００４】
本考案は、上記従来のリハビリ器具が有する問題点に鑑み、コンパクトで手軽に使用することができる安価なリハビリ器具を提供することを目的とする。
【課題を解決するための手段】
【０００５】
上記目的を達成するため、本考案のリハビリ器具は、所要長さの雄ねじ部材にナット部材を螺合し、ナット部材を回転させることにより雄ねじ部材上を移動させるようにしたことを特徴とする。
【０００６】
この場合において、雄ねじ部材のねじ径を長さ方向で変えることができる。
【０００７】
また、ナット部材が六角等の角状のものからなり、その側面毎に彩色することができる。
【０００８】
また、形状が異なるナット部材を設けることができる。
【考案の効果】
【０００９】
本考案のリハビリ器具によれば、所要長さの雄ねじ部材にナット部材を螺合し、ナット部材を回転させることにより雄ねじ部材上を移動させることから、雄ねじ部材にナット部材を嵌めて回しながら移動させることにより、手指の機能を回復させる訓練とするとともに、手指を使うことにより認知症等の患者を回復させる訓練とすることもできる。
そして、このリハビリ器具は、雄ねじ部材にナット部材を螺合した簡単な構成であり、合成樹脂等で形成することにより、軽量でコンパクト、安価で手軽に使用できるリハビリ器具とすることができる。
【００１０】
この場合、雄ねじ部材のねじ径を長さ方向で変えることにより、ナット部材が回転する固さを移動位置により変え、その感触を確認したり、固さに抗してナット部材を回転させたりすることにより、回復の度合いを知ることができる。
【００１１】
また、ナット部材が六角等の角状のものからなり、その側面毎に彩色することにより、ナット部材の回転を色彩感覚的に楽しみながら訓練することができる。
【００１２】
また、形状が異なるナット部材を設けることにより、ナット部材のハンドリング性を変え、手指の機能回復訓練に幅を持たせることができる。
【考案を実施するための最良の形態】
【００１３】
以下、本考案のリハビリ器具の実施の形態を、図面に基づいて説明する。
【実施例１】
【００１４】
図１〜図２に、本考案のリハビリ器具の一実施例を示す。
このリハビリ器具は、例えば、約３０ｃｍの長さの雄ねじ部材１に、複数のナット部材２を螺合し、ナット部材２を回転させることにより雄ねじ部材１上を移動させるようにしている。
【００１５】
雄ねじ部材１とナット部材２は、共にポリカーボネート樹脂等の合成樹脂からなり、雄ねじ部材１は、その中央部のねじ径が、ナット部材２が回転移動し得る範囲で大きく形成されている。
本実施例では、雄ねじ部材１の両端部のねじ径（外径）が１１．８ｍｍ、中央部のねじ径（外径）が１２．１ｍｍに形成されている。
このように部分的にねじ径を変える手段としては、雄ねじ部材１を成形型で成形する際に部分的にその形状を変えたり、成形後に部分的にコーティングを施したりすることができる。
これにより、ナット部材２が回転する固さを移動位置により変え、その感触を確認したり、固さに抗してナット部材２を回転させたりすることにより、回復の度合いを知るようにしている。
【００１６】
ナット部材２は１対の六角ナットからなり、少なくとも隣接する側面の色が異なるように数種類の色で彩色されている。
彩色は、例えば、６つの側面を１つおきに赤、青、黄等に塗り、ナット部材２の回転数や回転角度がわかりやすいようにすることができる。
【００１７】
また、形状が異なるナット部材２を設けて、ナット部材２のハンドリング性を変えることもできる。
これは、直径の異なる複数のナット部材を用意するようにしたり、あるいは、基本となるナット部材２にリング状のアタッチメントを外嵌することにより、直径を大きくしたりすることができる。
【００１８】
かくして、本実施例のリハビリ器具は、所要長さの雄ねじ部材１にナット部材２を螺合し、ナット部材２を回転させることにより雄ねじ部材上を移動させることから、雄ねじ部材１にナット部材２を嵌めて回しながら移動させることにより、手指の機能を回復させる訓練とするとともに、手指を使うことにより認知症等の患者を回復させる訓練とすることもできる。
そして、このリハビリ器具は、雄ねじ部材１にナット部材２を螺合した簡単な構成であり、合成樹脂等で形成することにより、軽量でコンパクト、安価で手軽に使用できるリハビリ器具とすることができる。
【００１９】
この場合、雄ねじ部材１のねじ径を長さ方向で変えることにより、ナット部材２が回転する固さを移動位置により変え、その感触を確認したり、固さに抗してナット部材２を回転させたりすることにより、回復の度合いを知ることができる。
【００２０】
また、ナット部材２が六角等の角状のものからなり、その側面毎に彩色することにより、ナット部材２の回転を色彩感覚的に楽しみながら訓練することができ、さらに、形状が異なるナット部材２を設けることにより、ナット部材２のハンドリング性を変え、手指の機能回復訓練に幅を持たせることができる。
【００２１】
以上、本考案のリハビリ器具について、その実施例に基づいて説明したが、本考案は上記実施例に記載した構成に限定されるものではなく、その趣旨を逸脱しない範囲において適宜その構成を変更することができる。
【産業上の利用可能性】
【００２２】
本考案のリハビリ器具は、雄ねじ部材にナット部材を螺合した簡単な構成であり、合成樹脂等で形成することにより、軽量でコンパクト、安価で手軽に使用できることから、例えば、手指の機能を回復させる訓練や、手指を使うことにより認知症等の患者を回復させる訓練の用途に好適に用いることができる。
【図面の簡単な説明】
【００２３】
【図１】本考案のリハビリ器具の一実施例を示す正面図である。
【符号の説明】
【００２４】
１    雄ねじ部材
２    ナット部材
【図１】
0003131859.tif 000003